(57)【特許請求の範囲】
【請求項１】
２つの超伝導バルク磁石をこれらの軸線を結んで同極を対向させて配置して前記軸線と直交する面内に磁場を発生させるとともに、リング磁石をその中心軸が前記軸線と略一致するように配置して前記磁場を前記リング磁石のラジアル方向に印加し、前記リング磁石をそのラジアル方向に着磁した後、前記リング磁石をその中心軸が前記軸線と略直交するように配置して前記超伝導バルク磁石の発生する前記軸線に平行な磁場を前記リング磁石の一部に印加して前記リング磁石の一部の磁極を反転させることを特徴とする永久磁石の着磁方法。
【請求項２】
前記リング磁石を移動機構に機械的に保持させて前記リング磁石を着磁した後、前記移動機構により前記リング磁石を前記超伝導バルク磁石の発生する磁場の影響の少ない位置へ移動させてから前記リング磁石を前記移動機構から離脱することを特徴とする請求項１記載の永久磁石の着磁方法。
【請求項３】
前記リング磁石をその中心軸の方向に移動させながら前記軸線に平行な磁場を前記リング磁石に印加することを特徴とする請求項１記載の永久磁石の着磁方法。
【発明の詳細な説明】
【技術分野】
【０００１】
本発明は、小型モータの回転子などとして用いられる永久磁石を着磁又は界磁するための永久磁石の着磁方法に関する。
【背景技術】
【０００２】
モータや発電機などの回転機では、リング状磁石を回転子に用いたＤＣブラシレス方式による設計が頻繁になされている。これは、ＤＣブラシレス方式は、ブラシのない構造のため、回転機の長寿命化と小型化が容易であるという利点があるからである。
【０００３】
このＤＣブラスレス方式の回転機などに用いられるリング状磁石を着磁するための方法としては、セグメント状に分割された磁石を円周方向に配置し、その外周部から通電によるパルス磁極によって励磁する方法が知られている（特許文献１）。この方法は、磁石の中央部分へ磁場が到達するように、セグメント状に分割された磁石と磁石の間に鉄からなる軟磁性体を配置するものである。しかし、鉄の飽和磁束密度以上の磁場には適応できないため、強磁場が磁極全体に十分に行き渡らないという問題があった。また、軟磁性体の部分は磁場発生に寄与しないため、多極に着磁をする場合に急峻な反転ができず、磁場の反転に必要な部分だけ磁石が無駄になるという問題があった。
【０００４】
また、複写機に使われるマグネットロールの励磁方法として、静磁場の走査による着磁方法が開示されている（特許文献２）。この方法は、被着磁物である磁性体表面を鉄ヨークで走査するものである。しかし、鉄ヨークの形状により磁場形状が決定される構造となっているため、例えば、磁性体が希土類系の高性能磁石であった場合には、鉄ヨークの飽和磁束密度を超えるため、磁場形状を制御することができず、強い磁石を作ることができないという問題があった。
【０００５】
また、着磁ピッチの狭い多極のリング状の磁石を着磁する場合に、リング外部から永久磁石の磁場を与え、この際に昇温して材料のキュリー点以上から静磁場中で冷却することによって磁場捕捉を図る方法が知られている（特許文献３）。しかし、印加する静磁場強度は永久磁石を用いる場合はもとより、電磁石を用いる場合も、その鉄心の飽和磁束密度によって制限されるために、希土類磁石など優秀な磁場捕捉が可能な被着磁物に対しては印加できる磁場強度が弱いという問題があった。また、隣り合う異極同志の間にはラジアル方向の磁場は印加できず、円周方向の磁場印加になるため、磁場反転領域が広く、磁石の利用効率が低いという問題があった。
【０００６】
さらに、超伝導バルク磁石の発生する、希土類磁石の完全な励磁に十分な強磁場を用い、回転子の外部から静磁場によって大型の回転子磁極を走査して励磁する方法が知られている（特許文献４）。しかし、多極にするためには多数の磁極を移動走査して順次励磁して行かなければならず、励磁工程に時間がかかるという問題があった。また、単極で利用する場合には磁極の吸引力によって強大な応力が系にかかるため、その機械的補強のために設備が大掛かりになるという問題があった。
【特許文献１】特開２００２−１９９６６９号公報
【特許文献２】特開２００５−２２３１９９号公報
【特許文献３】特開２００６−２０３１７３号公報
【特許文献４】特開２００７−２５０６５１号公報
【発明の開示】
【発明が解決しようとする課題】
【０００７】
そこで、本発明は、上記の問題を解決し、強磁場を十分に行き渡らせて強い磁石を作ることができ、多極に着磁をする場合には急峻な反転ができ、励磁工程に時間がかからず、さらに、大掛かりな設備を必要としない、永久磁石の着磁方法を提供することを目的とする。
【課題を解決するための手段】
【０００８】
本発明の永久磁石の着磁方法は、２つの超伝導バルク磁石をこれらの軸線を結んで同極を対向させて配置して前記軸線と直交する面内に磁場を発生させるとともに、リング磁石をその中心軸が前記軸線と略一致するように配置して前記磁場を前記リング磁石のラジアル方向に印加し、前記リング磁石をそのラジアル方向に着磁した後、前記リング磁石をその中心軸が前記軸線と略直交するように配置して前記超伝導バルク磁石の発生する前記軸線に平行な磁場を前記リング磁石の一部に印加して前記リング磁石の一部の磁極を反転させることを特徴とする。
【０００９】
また、前記リング磁石を移動機構に機械的に保持させて前記リング磁石を着磁した後、前記移動機構により前記リング磁石を前記超伝導バルク磁石の発生する磁場の影響の少ない位置へ移動させてから前記リング磁石を前記移動機構から離脱することを特徴とする。
【００１０】
さらに、前記リング磁石をその中心軸の方向に移動させながら前記軸線に平行な磁場を前記リング磁石に印加することを特徴とする。
【発明の効果】
【００１１】
本発明の永久磁石の着磁方法によれば、超伝導バルク磁石の発生する強力な磁場を利用するとともに、２つの同極の超伝導バルク磁石の磁力線の反発作用によってさらに強力な磁場を発生させることができ、この磁場をリング磁石のラジアル方向に印加することで、ラジアル方向に均一に励磁された強いリング磁石を短時間で製造することができる。そして、超伝導バルク磁石の発生する強力な磁場によって急峻に磁極を反転させることができ、これにより多極の磁場分布をもつリング磁石を製造することができる。
【００１２】
また、超伝導バルク磁石の発生する磁場の影響の少ない位置で移動機構からリング磁石を離脱することで、リング磁石を効率的に製造することができる。
【００１３】
さらに、リング磁石をその中心軸の方向に移動させながら磁場を印加することで、リング磁石の中心軸方向に均一な励磁を行うことができる。
【発明を実施するための最良の形態】
【００１４】
以下、本発明の永久磁石の着磁方法の実施例について、添付した図面を参照しながら説明する。なお、本発明は、以下の実施例により限定されるものではなく、種々の変形実施が可能である。
【実施例１】
【００１５】
本実施例の永久磁石の着磁方法に用いられる装置を示す図１において、10ａ，10ｂは、溶融法によって製作されたバルク状超伝導体からなり、全体が単一の円錐状の磁場分布をもつように着磁された超伝導バルク磁石である。なお、超伝導バルク磁石10ａ，10ｂは、それぞれ冷凍機11ａ，11ｂにより冷却されて超伝導状態に遷移する際に磁場を印加されること、又は、超伝導状態においてパルス磁場を印加されることによって励磁される。
【００１６】
２つの超伝導バルク磁石10ａ，10ｂは、これらの軸線Ｘを結んで相互に同極を対向して配置されている。超伝導バルク磁石10ａ，10ｂは、それぞれ冷凍機11ａ，11ｂの冷却部12ａ，12ｂに固着されるとともに真空容器13ａ，13ｂ中に収容されている。なお、冷凍機11ａ，11ｂは、ギフォード・マクマホンサイクル冷凍機（ＧＭサイクル冷凍機）、スターリングサイクル冷凍機、ＧＭパルス管冷凍機、ＳＴパルス管冷凍機などの極低温小型冷凍機からなる。また、冷却部12ａ，12ｂは、バルク磁石10ａ，10ｂの反発による反力に抗することができるように、断熱性樹脂材14ａ，14ｂを介して、それぞれ真空容器13ａ，13ｂに固定されている。そして、真空容器13ａ，13ｂの一端は、それぞれ磁極15ａ，15ｂを構成している。
【００１７】
磁極15ａ，15ｂを構成する真空容器13ａ，13ｂは、それぞれ固定部位16ａ，16ｂによって軸方向移動機構17ａ，17ｂに固定されている。軸方向移動機構17ａ，17ｂは、それぞれ移動軸18ａ，18ｂに対して摺動自在に固定され、移動軸18ａ，18ｂは、固定台座19に固定されている。これによって、磁極15ａ，15ｂを軸線Ｘと平行に移動させて、磁極15ａ，15ｂ間の距離を任意に調節することができるようになっている。
【００１８】
また、磁極15ａ，15ｂ間の中央の固定台座19上には、リング形状に成形されたリング磁石１を固定するリテーナ20が、軸垂直移動機構21により支持されている。リテーナ20と軸垂直移動機構21によりリング磁石１を移動させる移動機構が構成されている。軸垂直移動機構21は、軸線Ｘと垂直にリテーナ20を移動可能に構成されている。リテーナ20は、機械的強度に優れる繊維強化型樹脂やアルミニウムなどの非磁性金属から形成されている。なお、リテーナ20を鉄などの強磁性金属から形成し、超伝導バルク磁石10ａ，10ｂとリテーナ20により磁気回路が構成されるようにしてもよい。
【００１９】
以下、この装置を用いた本実施例の永久磁石の着磁方法について説明する。
【００２０】
はじめに、冷凍機11ａ，11ｂにより、超伝導バルク磁石10ａ，10ｂを冷却する。このとき、真空容器13ａ、13ｂの内部を図示しない真空ポンプによって減圧することによって、冷凍機11ａ，11ｂの冷却部12ａ，12ｂと超伝導バルク磁石10ａ，10ｂを外部と断熱状態にする。ここで、超伝導バルク磁石10ａ，10ｂが超伝導状態になる前に、超伝導コイルマグネットによって超伝導バルク磁石10ａ，10ｂに、例えば５Ｔの磁場を印加する。この磁場を印加したまま約３０〜３５Ｋまで冷却を続け、超伝導バルク磁石10ａ，10ｂを超伝導状態とする。超伝導バルク磁石10ａ，10ｂは、磁場中で冷却されることで与えられた磁場を捕捉するため、超伝導コイルマグネットの磁場を取り去っても、磁場を発生し続ける。５Ｔに励磁された超伝導バルク磁石10ａ，10ｂにより、真空容器13ａ，13ｂの外部には３Ｔ〜６Ｔの静的な強磁場が発生する。なお、超伝導バルク磁石10ａ，10ｂを磁場のない状態で冷却して超伝導状態とした後、超伝導バルク磁石10ａ，10ｂにパルス磁場を印加することによっても、２Ｔ〜５Ｔの静的な磁場強度を発生させることができる。
【００２１】
つぎに、リテーナ20にリング磁石１を固定する。なお、リング磁石１は、希土類からなり、焼結法によるいわゆる焼結磁石や、磁石の粉末を樹脂中に分散して成形したいわゆるボンド磁石などを用いることができる。なお、リング磁石１の磁化容易軸は、リング磁石１のラジアル方向、すなわち半径方向に向いていることが望ましい。
【００２２】
そして、磁極15ａ，15ｂ間距離を十分にとった状態で、軸垂直移動機構21を用いてリング磁石１を磁極15ａ，15ｂ間の空間の中央に移動し、軸線Ｘとリング磁石１の中心軸を略一致させて固定する。
【００２３】
その後、軸方向移動機構17ａ，17ｂを用いて、対向して配置された磁極15ａ，15ｂ間の距離を狭めていき、超伝導バルク磁石10ａ，10ｂから発生する軸線Ｘに平行な磁場Ａａ，Ａｂの磁力線を反発させて、軸線Ｘに垂直な面内に磁場Ｂを生じさせる。なお、磁場Ｂの強度は、磁場Ａａ，Ａｂの強度と磁極15ａ，15ｂ間の距離に依存する。磁場Ａａ，Ａｂの強度が大きいほど磁場Ｂは強くなる。また、磁極15ａ，15ｂ間の距離が小さいほど磁場Ｂの磁力線が圧縮されて、磁場Ｂが強くなる。この磁場Ｂの磁力線は、リング磁石１のラジアル方向に、リング磁石１の中心から外側に向かって貫く。このように、磁場Ｂをリング磁石１のラジアル方向に印加することで、リング磁石１が着磁される。
【００２４】
ここで、磁場Ｂの分布の測定結果の一例を図２に示す。横軸は対向する磁極15ａ，15ｂの中間点における軸線Ｘからのラジアル方向の距離、縦軸は磁場Ｂの強度である。また、「ｇａｐ」は磁極15ａ，15ｂ間の距離である。軸線Ｘ上においては、磁場Ｂはゼロである。磁極15ａ，15ｂ間が５０ｍｍのときに軸線Ｘから約２５ｍｍ離れた位置において、最大０．７Ｔの磁場Ｂが得られている。この磁場Ｂの分布においては、直径が約５０ｍｍのリング磁石１が最も有効に着磁される。また、図２の特性から予測すると、磁極15ａ，15ｂ間の距離を約２０ｍｍとすれば、磁場Ｂの強度を約３Ｔとすることができる。
【００２５】
着磁後、磁極15ａ，15ｂ間の距離を広くしていき、磁場Ｂの強度を小さくする。そして、軸垂直移動機構21を用いて、超伝導バルク磁石10ａ，10ｂの発生する磁場の影響の少ない位置にリング磁石１を移動し、リテーナ20からリング磁石１を離脱する。
【００２６】
着磁後のリング磁石１の磁力線Ｃの分布を図３に示す。磁化されたリング磁石１の磁力線Ｃは、リング磁石１の中心から外側に向かって、均一に分布している。なお、本実施例においては、リング磁石１の内径面はＳ極、外径面はＮ極に着磁されているが、もちろん逆の着磁も可能である。
【００２７】
以上のように、本実施例の永久磁石の着磁方法は、２つの超伝導バルク磁石10ａ，10ｂをこれらの軸線Ｘを結んで同極を対向させて配置して前記軸線Ｘと直交する面内に磁場Ｂを発生させるとともに、リング磁石１をその中心軸が前記軸線Ｘと略一致するように配置して前記磁場Ｂを前記リング磁石１のラジアル方向に印加するものである。したがって、超伝導バルク磁石10ａ，10ｂの発生する強力な磁場を利用するとともに、２つの同極の超伝導バルク磁石10ａ，10ｂの磁力線の反発作用によってさらに強力な磁場Ｂを発生させることができ、この磁場Ｂをリング磁石１のラジアル方向に印加することで、ラジアル方向に均一に励磁された強いリング磁石１を短時間で製造することができる。
【００２８】
また、前記リング磁石１を移動機構たる軸垂直移動機構21に機械的に保持させて前記リング磁石１を着磁した後、前記軸垂直移動機構21により前記リング磁石１を前記超伝導バルク磁石10ａ，10ｂの発生する磁場Ｂの影響の少ない位置へ移動させてから前記リング磁石１を前記軸垂直移動機構21から離脱するものである。したがって、超伝導バルク磁石10ａ，10ｂの発生する磁場の影響の少ない位置で軸垂直移動機構21からリング磁石を離脱することで、リング磁石１を効率的に製造することができる。
【実施例２】
【００２９】
実施例１では、リング磁石１の内外面をそれぞれ単極に均一に着磁したが、本実施例では、実施例１で外径面をＮ極に着磁したリング磁石１を磁化反転させて、その外周にＮ極とＳ極を２対作成する例、すなわち、多極に着磁する例を示す。なお、以下の実施例において、実施例１と同様の部分には同じ符号を付し、その説明を省略する。
【００３０】
図４に示すように、外径面をＮ極に着磁したリング磁石１の中心軸が軸線Ｘと略直交するように配置する。そして、リング磁石１の中心軸に垂直な方向から、すなわち軸線Ｘに沿って、磁極15ａ，15ｂを近づけて、超伝導バルク磁石10ａ，10ｂの発生する軸線Ｘに平行な磁場Ａａ，Ａｂをリング磁石１の一部に印加する。リング磁石１の材料の保磁力を超える強度の磁場Ａａ，Ａｂが印加されると、磁場Ａａ，Ａｂが印加された部分のみに急峻な磁極の反転が起きる。これにより、多極に着磁したリング磁石１が得られる。
【００３１】
なお、磁石材料では、磁極の反転の直前まではそれまでの大きな磁力を保持し、磁極が反転するときは一気に逆向きに飽和した状態まで磁化される。したがって、反転した部分と反転しない部分の界面領域が極めて小さい急峻な磁化反転が起きる。
【００３２】
また、磁場Ａａ，Ａｂの磁力線は、リング磁石１の内部空間に入った後、軸線Ｘと垂直な方向に向きを変えて磁場Ｂの磁力線として再びリング磁石１を貫くが、磁場Ｂの磁力線が貫く部分は実施例１で励磁された向きと一致するので、この部分では磁化反転は起こらない。
【００３３】
また、この磁化反転の際に、リング磁石１に磁極15ａ，15ｂを近接させて磁場Ａａ，Ａｂを印加した状態で、軸垂直移動機構21を用いてリング磁石１をその中心軸の方向に移動させることによって、リング磁石１の中心軸方向に均一な励磁を行うことができる。
【００３４】
着磁後のリング磁石１の磁力線Ｃの分布を図４に示す。磁化されたリング磁石１の磁力線Ｃは、異極界面Ｄを境界にして、リング磁石１の中心から外側に向かって、或いは、リング磁石１の外側から中心に向かって、均一に分布している。
【００３５】
以上のように、本実施例の永久磁石の着磁方法は、前記リング磁石１をそのラジアル方向に着磁した後、前記リング磁石１をその中心軸が前記軸線Ｘと略直交するように配置して前記超伝導バルク磁石10ａ，10ｂの発生する前記軸線Ｘに平行な磁場Ａａ，Ａｂを前記リング磁石１に印加して磁極を反転させるものである。したがって、超伝導バルク磁石10ａ，10ｂの発生する強力な磁場Ａａ，Ａｂによって急峻に磁極を反転させることができ、これにより多極の磁場分布をもつリング磁石１を製造することができる。
【００３６】
また、前記リング磁石１をその中心軸の方向に移動させながら前記軸線Ｘに平行な磁場Ａａ，Ａｂを前記リング磁石１に印加するものであり、リング磁石１をその中心軸の方向に移動させながら磁場Ａａ，Ａｂを印加することで、リング磁石１の中心軸方向に均一な励磁を行うことができる。
【実施例３】
【００３７】
本実施例では、リング磁石１の外周にＮ極とＳ極を３対以上作成する場合にも適用することのできる方法を示す。図６に示すように、リング磁石１の内側に鉄ヨーク22を設置した状態で磁極15ａ，15ｂを近接させて、リング磁石１を磁化反転させる。リング磁石１の内側に侵入した磁場Ａａ，Ａｂの磁力線は、鉄ヨーク22に吸収される。したがって、リング磁石１の内側に侵入した磁場Ａａ，Ａｂの磁力線が再びリング磁石１に印加されることがない。この方法によれば、様々な形状や大きさの磁極をリング磁石１に与えることができる。
【００３８】
また、２つの磁極15ａ，15ｂを対向させて配置することにより、磁極15ａの磁気による吸着力と磁極15ｂの磁気による吸着力が釣合う。したがって、磁力に抗するために装置の剛性を特段に大きくする必要がないという利点がある。なお、本実施例の方法は、片方の磁極だけでも実施できる。
【００３９】
なお、上記各実施例において、磁力線の向きを反対にしても着磁できることは自明である。
【図面の簡単な説明】
【００４０】
【図１】本発明の実施例１における永久磁石の着磁方法に用いられる装置の構成を示す部分断面側面図である。
【図２】本発明の実施例１における磁場の分布の測定結果を示すグラフである。
【図３】本発明の実施例１における着磁後のリング磁石の磁力線の分布を示す正面図（右）及びその縦断面図（左）である。
【図４】本発明の実施例２における永久磁石の着磁方法に用いられる装置の構成を示す部分断面側面図である。
【図５】本発明の実施例２における着磁後のリング磁石の磁力線の分布を示す正面図と、その縦断面図（ａ）及び横断面図（ｂ）である。
【図６】本発明の実施例３における永久磁石の着磁方法に用いられる装置の構成を示す部分断面側面図である。
【符号の説明】
【００４１】
１ リング磁石
10ａ，10ｂ 超伝導バルク磁石
21 軸垂直移動機構（移動機構）
Ａａ，Ａｂ，Ｂ 磁場
Ｘ 軸線
【図１】
0005326357.tif 000002
【図２】
0005326357.tif 000003
【図３】
0005326357.tif 000004
【図４】
0005326357.tif 000005
【図５】
0005326357.tif 000006
【図６】
0005326357.tif 000007